(57)【特許請求の範囲】
【請求項１】
下記一般式（１）
【化１】
0003779849.tif 000012
（上記一般式（１）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘはｎ価の陰イオンであり、ｎは１又は２である。）で表されるN,N'−ジ置換−9,9'−ビスアクリジニウム塩類及び下記一般式（２）
【化２】
0003779849.tif 000013
（上記一般式（２）において、Ｒ1 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、Ｒ2 は、メチル基及びエチル基からなる群より選択され、Ｒ3 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、また、Ｒ1 及びＲ3 は、互いに結合して、それぞれが結合しているカルボニル基の炭素原子及びアミド基の窒素原子と共に環を形成していてもよい。）で表される N,N−ジ置換カルボン酸アミド化合物の混合物を、 N,N−ジ置換カルボン酸アミド化合物の融点以上３５℃以下の温度範囲内に制御して光照射することにより、変異原性を有する不純物の副生を抑制すると共に、紫外吸収スペクトルにおいて５５０ｎｍ付近に極大をもつ吸収帯を有する下記一般式（３）
【化３】
0003779849.tif 000014
（上記一般式（３）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘ・は、前駆体ビスアクリジニウム塩の対アニオンから電子が移動した残基である酸ラジカルを示す。）で表されるN,N'−ジ置換−9,9'−ビスアクリジニウム塩類の電荷移動錯体を生成させることを特徴とする化学発光試薬の製造方法。
【請求項２】
下記一般式（１）
【化４】
0003779849.tif 000015
（上記一般式（１）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘはｎ価の陰イオンであり、ｎは１又は２である。）で表されるN,N'−ジ置換−9,9'−ビスアクリジニウム塩類及び下記一般式（２）
【化５】
0003779849.tif 000016
（上記一般式（２）において、Ｒ1 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、Ｒ2 は、メチル基及びエチル基からなる群より選択され、Ｒ3 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、また、Ｒ1 及びＲ3 は、互いに結合して、それぞれが結合しているカルボニル基の炭素原子及びアミド基の窒素原子と共に環を形成していてもよい。）で表される N,N−ジ置換カルボン酸アミド化合物の混合物を、 N,N−ジ置換カルボン酸アミド化合物の融点以上３５℃以下の温度範囲内に制御して光照射することにより、変異原性を有する不純物の副生を抑制すると共に、紫外吸収スペクトルにおいて５５０ｎｍ付近に極大をもつ吸収帯を有する下記一般式（３）
【化６】
0003779849.tif 000017
（上記一般式（３）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘ・は、前駆体ビスアクリジニウム塩の対アニオンから電子が移動した残基である酸ラジカルを示す。）で表されるN,N'−ジ置換−9,9'−ビスアクリジニウム塩類の電荷移動錯体を生成させた後、該反応混合物に安定剤として下記一般式（４）
【化７】
0003779849.tif 000018
（上記一般式（４）において、Ｒは、炭素数１〜５の二価の脂肪族炭化水素を表わし、ｍは、１〜３の整数を表わす。）で表されるアミノアルコール化合物を添加することを特徴とする化学発光試薬の製造方法。
【請求項３】
前記N,N'−ジ置換−9,9'−ビスアクリジニウム塩類が、N,N'−ジメチル−9,9'−ビスアクリジニウムジナイトレート（ルシゲニン）である請求項１又は２に記載の化学発光試薬の製造方法。
【請求項４】
前記 N,N−ジ置換カルボン酸アミド化合物が、 N,N−ジメチルホルムアミド、 N,N−ジメチルアセトアミド及び N−メチル−２−ピロリドンからなる群より選択される少なくとも一種の化合物である請求項１又は２に記載の化学発光試薬の製造方法。
【発明の詳細な説明】
【０００１】
【発明の属する技術分野】
本発明は、化学発光試薬の製造方法に関するものであり、さらに詳しくは、ペルオキシダーゼ酵素量に依存して過酸化物等の水素受容体により化学発光し、ペルオキシダーゼ酵素活性を利用して種々の物質を高感度に測定することができ、かつ、変異原性を有する不純物を副生しない、安全性の高い改良された化学発光試薬の製造方法に関するものである。
【０００２】
【従来の技術】
化学発光試薬として、古くから用いられているルシゲニン（N,N'−ジメチル−9,9'−ビスアクリジニウムジナイトレート）は、アルカリ性水溶液中で微光を呈し、過酸化水素を加えると強く発光することが知られており、種々の微量分析に利用されている。しかしながら、ルシゲニンは過酸化水素とアルカリの存在で定量的に発光するので、過酸化水素の定量には利用することができるが、この反応による発光を制御して発光量で酵素活性を測定する化学発光酵素免疫測定法（ＣＬＥＩＡ）等には利用し難いという問題点がある。この問題点を解決する手段として、標識酵素にグルコースオキシダーゼを用いて、グルコースの酸化反応により生成する過酸化水素をアルカリ存在下にルシゲニンに作用させることにより、測定対象物質の濃度に依存した化学発光を行なう方法等が行なわれている。しかしながら、グルコースオキシダーゼを標識酵素とするＣＬＥＩＡは、試薬の調製及び発光系の操作が煩雑である。また、安定性にも優れ、取り扱いが比較的に容易なペルオキシダーゼを標識酵素とするＣＬＥＩＡに利用できる化学発光試薬としてルミノールが用いられているが、発光促進剤を併用しても感度の点で必ずしも充分とはいえない。そこで、本発明者等は試薬の調製及び発光系の操作が容易で、かつ高感度測定が可能な、ペルオキシダーゼを標識酵素とするＣＬＥＩＡに利用できる化学発光試薬としてルシゲニン電荷移動錯体を主成分とする新規化学発光試薬を開発した。しかし、該化学発光試薬は製造時に変異原性を有する不純物を副生する場合があり、変異原性を有する不純物を副生しない化学発光試薬の製造方法の開発が望まれていた。
【０００３】
【発明の解決しようとする課題】
本発明の課題は、過酸化水素等の過酸化物を基質とするペルオキシダーゼのモル数に依存して化学発光し、ペルオキシダーゼ酵素活性を利用して種々の物質をより高感度に測定することができ、変異原性を有する不純物を副生しない、安全性の高い改良された化学発光試薬の製造方法を提供することにある。
【０００４】
【課題を解決するための手段】
そこで、本発明者らは、上記課題を解決するために鋭意検討を行なった結果、N,N'−ジ置換−9,9'−ビスジアクリジニウム塩類を N,N−ジ置換カルボンアミド化合物の存在下に特定温度条件下において光照射することにより、変異原性を有する不純物を副生を抑制してN,N'−ジ置換−9,9'−ビスアクリジニウム塩類の電荷移動錯体を容易に製造することができることを見い出し、これらの知見に基づいて本発明の完成に到達したものである。
【０００５】
従って、本発明の第一は、下記一般式（１）
【化８】
0003779849.tif 000002
（上記一般式（１）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘはｎ価の陰イオンであり、ｎは１又は２である。）で表されるN,N'−ジ置換−9,9'−ビスアクリジニウム塩類及び
下記一般式（２）
【０００６】
【化９】
0003779849.tif 000003
（上記一般式（２）において、Ｒ1 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、Ｒ2 は、メチル基及びエチル基からなる群より選択され、Ｒ3 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、また、Ｒ1 及びＲ3 は、互いに結合して、それぞれが結合しているカルボニル基の炭素原子及びアミド基の窒素原子と共に環を形成していてもよい。）
で表される N,N−ジ置換カルボン酸アミド化合物の混合物を、 N,N−ジ置換カルボン酸アミド化合物の融点以上３５℃以下の温度範囲において光照射することにより、下記一般式（３）
【０００７】
【化１０】
0003779849.tif 000004
（上記一般式（３）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘ・は、前駆体ビスアクリジニウム塩の対アニオンから電子が移動した残基である酸ラジカルを示す。）
で表されるN,N'−ジ置換−9,9'−ビスアクリジニウム塩類の電荷移動錯体を生成させることを特徴とする化学発光試薬の製造方法である。
【０００８】
また、第二の発明は、下記一般式（１）
【化１１】
0003779849.tif 000005
（上記一般式（１）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘはｎ価の陰イオンであり、ｎは１又は２である。）で表されるN,N'−ジ置換−9,9'−ビスアクリジニウム塩類及び
下記一般式（２）
【０００９】
【化１２】
0003779849.tif 000006
（上記一般式（２）において、Ｒ1 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、Ｒ2 は、メチル基及びエチル基からなる群より選択され、Ｒ3 は、炭素数１〜１０のアルキル基、炭素数２〜１０のアルケニル基及び炭素数６〜２０のアリール基からなる群より選択され、アリール基は、アルキル基、ハロゲン基、ニトロ基、水酸基及びアミノ基等で置換されていてもよく、また、Ｒ1 及びＲ3 は、互いに結合して、それぞれが結合しているカルボニル基の炭素原子及びアミド基の窒素原子と共に環を形成していてもよい。）
で表される N,N−ジ置換カルボン酸アミド化合物の混合物を、 N,N−ジ置換カルボン酸アミド化合物の融点以上３５℃以下の温度範囲において光照射することにより、下記一般式（３）
【００１０】
【化１３】
0003779849.tif 000007
（上記一般式（３）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよく、Ｘ・は、前駆体ビスアクリジニウム塩の対アニオンから電子が移動した残基である酸ラジカルを示す。）
で表されるN,N'−ジ置換−9,9'−ビスアクリジニウム塩類の電荷移動錯体を生成させた後、安定剤として、下記一般式（４）
【００１１】
【化１４】
0003779849.tif 000008
（上記一般式（４）において、Ｒは、炭素数１〜５の二価の脂肪族炭化水素を表わし、ｍは、１〜３の整数を表わす。）
で表されるアミノアルコール化合物を添加することを特徴とする化学発光試薬の製造方法である。
【００１２】
【発明の実施の形態】
以下、本発明につき更に詳しく説明する。
本発明の化学発光試薬の製造方法は、N,N'−ジ置換−9,9'−ビスジアクリジニウム塩類を N,N−ジ置換カルボンアミド化合物の存在下に N,N−ジ置換カルボンアミド化合物の融点以上であって、３５℃以下の温度範囲において光照射してN,N'−ジ置換−9,9'−ビスジアクリジニウム塩類の電荷移動錯体を生成させる反応から始まるが、該反応において反応温度条件は極めて重要な意味を有している。即ち、光照射反応の温度条件を厳密に制御しない場合には、光照射時の光照射装置等からの輻射熱等による局部的な温度上昇により反応容器内の温度が局部的に３５℃以上になり、光照射反応によって生成したN,N'−ジ置換−9,9'−ビスアクリジニウム塩類の電荷移動錯体の一部がそのバイラジカルによる環化反応を起こしてジハイドロフェナンスレン型の中間体を経て、変異原性を有すると考えられる副反応生成物である、下記一般式（５）
【００１３】
【化１５】
0003779849.tif 000009
（上記一般式（５）において、Ｒ1 及びＲ2 は、アルキル基、アリール基及びハロゲン化アリール基からなる群より選択され、互いに同一でも又は異なるものでもよく、Ｒ3、Ｒ4、Ｒ5 及びＲ6 は、水素原子、アルキル基、アリール基、アルコキシ基、アリーロキシ基及びハロゲン基からなる群より選択され、互いに同一でも又は異なるものでもよい。）で表される 7,6−ジ置換ベンゾ［1,2,3-kl：6,5,4-k'l'］ジアクリジン誘導体を生成するために該反応により製造された化学発光試薬は変異原性を有するようになるものと考えられる。また、光照射反応の温度が N,N−ジ置換カルボンアミド化合物の融点未満の場合には反応系は凍結凝固して均一に反応を行なうことが困難になるので好ましくない。該光照射反応に用いるN,N'−ジ置換−9,9'−ビスアクリジニウム塩類は一般式（１）で表される。一般式（１）において、Ｒ1 及びＲ2 は、各々、アルキル基、アリール基及びハロゲン化アリール基からなる群より選択され、互いに同一でも異なるものでもよい。アルキル、アリール基及びハロゲン化アリール基は、炭素数１〜２０を有するものであり、好ましいアルキル基は炭素数１〜１０のものである。例えば、メチル基、エチル基、プロピル基、ブチル基、ペンチル基、ヘキシル基、ヘプチル基、オクチル基、ノニル基及びデシル基等の直鎖状又は分岐状アルキル基を挙げることができる。また、アリール基は、炭素数６〜２０のものが好ましく、フェニル基、トリール基、キシリル基等を挙げることができ、さらにアルキル基で置換されたものでもよい。アリール基としては、特に、フェニル基が好ましい。ハロゲン化アリール基としてはハロゲン化フェニル基、ハロゲン化トリル基、ハロゲン化キシリル基等を挙げることができ、特に、クロロフェニル基が好ましい。
【００１４】
一般式（１）において、Ｒ3、Ｒ4、Ｒ5 及びＲ6 は、各々、水素原子、アルキル基、アリール基、アルコキシ基、アリーロキシ基及びハロゲン原子からなる群より選択され、互いに同一でも又は異なるものでよい。これらの炭化水素基としては、炭素数１〜２０、好ましくは、１〜１０のものを挙げることができる。例えば、炭素数１〜２０の直鎖状又は分岐状アルキル基、アルコキシ基、炭素数６〜２０のアリール基、アリーロキシ基を挙げることができ、アリール基、アリーロキシ基にはアルキル基が置換されたものでもよい。
【００１５】
また、一般式（１）において、Ｘn-はｎ価の陰イオンであり、ｎは１又は２である。陰イオンとしては、特に限定されるものではなく、塩素イオン、臭素イオン、沃素イオン等のハロゲンイオン、硝酸イオン、炭酸イオン、硫酸イオン、リン酸イオン、カルボン酸イオン等を挙げることができる。これらの陰イオンのなかで、特に硝酸イオンが好ましい。
【００１６】
N,N'−ジ置換−9,9'−ビスアクリジニウム塩類の具体例としては、N,N'−ジメチル−9,9'−ビスアクリジニウム塩、N,N'−ジエチル−9,9'−ビスアクリジニウム塩、N,N'−ジフェニル−9,9'−ビスアクリジニウム塩、N,N'−ジ−ｍ−クロロフェニル−9,9'−ビスアクリジニウム塩などが挙げられるが、特に、N,N'−ジメチル−9,9'−ビスアクリジニウムジナイトレート（ルシゲニン）が好適に用いられる。勿論これらに限定されるものではない。
【００１７】
本発明の化学発光試薬の製造方法における原料の一つである N,N−ジ置換カルボン酸アミド化合物は一般式（２）で表される。一般式（２）において、Ｒ1 は、水素原子、炭素数１〜１０のアルキル基、炭素数２〜１０のアルケニル基及び炭素数６〜２０のアリール基からなる群より選択され、該アリール基はアルキル基、ハロゲン基、ニトロ基、水酸基及びアミノ基等からなる群より選択される基で置換されていてもよい。Ｒ2 は、メチル基及びエチル基からなる群より選択される。Ｒ3 は、炭素数１〜１０のアルキル基、炭素数２〜１０のアルケニル基及び炭素数６〜２０のアリール基からなる群より選択される。該アリール基は、アルキル基、ハロゲン基、ニトロ基、水酸基及びアミノ基等からなる群より選択される基で置換されていてもよい。また、Ｒ1 及びＲ3 は互いに結合して、それぞれが結合しているカルボニル基の炭素原子及びアミド基の窒素原子と共に環を形成していてもよい。
【００１８】
N,N−ジ置換カルボン酸アミド化合物の具体的な例としては、 N,N−ジメチルホルムアミド、 N,N−ジメチルアセトアミド、 N,N−ジメチルアクリルアミド、 N,N−ジメチルプロピオンアミド、 N,N−ジメチルベンズアミド、Ｎ−メチル−２−ピロリドン等が非限定的に挙げられる。
【００１９】
また、光照射反応におけるN,N'−ジ置換−9,9'−ビスアクリジニウム塩類と N,N−ジ置換カルボン酸アミド化合物との混合比は、N,N'−ジ置換−9,9'−ビスアクリジニウム塩類の電荷移動錯体に対して N,N−ジ置換カルボン酸アミド化合物を１〜１万倍モル、好ましくは１〜５千倍モルの割合で用いることができる。
【００２０】
本発明の化学発光試薬の製造方法に用いられる光照射用の光線としては、波長領域が約２９０〜８００ｎｍの範囲の紫外可視部が用いられ、特に、約４００〜８００ｎｍの範囲の可視光が望ましい。これらの光源としては、高圧水銀灯、低圧水銀灯、殺菌灯、蛍光灯及び白熱電灯等を非限定的に用いることができるが、白熱電灯が好ましく用いられる。
【００２１】
該光照射反応により得られる反応生成物は、N,N'−ジ置換−9,9'−ビスアクリジニウム塩類の電荷移動錯体であるが、この化合物の生成は電子スピン共鳴スペクトルによるラジカルの存在の確認、及び紫外線吸収スペクトルにおいて、反応の進行に伴って、３７０ｎｍのN,N'−ジ置換−9,9'−ビスアクリジニウム塩類に特異的な吸収が減少し、５００ｎｍ以上に新たな吸収が出現し増大して行くこと等により同定される。
【００２２】
本発明の第二における化学発光試薬の製造方法においては、光照射反応によるN,N'−ジ置換−9,9'−ビスアクリジニウム塩類の電荷移動錯体の生成の後に、安定剤としてアミノアルコール化合物を添加するが、該アミノアルコール化合物の添加は該化学発光試薬の発光反応時において、ブランク値を低下させる効果及びペルオキシダーゼの高濃度領域における発光強度を上昇させる効果を有し、また、化学発光試薬の保存時において、その発光性能の低下を防ぐ保存安定性を改善する効果等を有し、化学発光試薬の感度や安定性等の性能の向上に寄与する処が大きい。該アミノアルコール化合物の具体的な例としては、モノエタノールアミン、ジエタノールアミン、トリエタノールアミン、モノイソプロパノールアミン、ジイソプロパノールアミン、トリイソプロパノールアミン等を非限定的に挙げることができる。
該アミノアルコール化合物の添加量は、N,N'−ジ置換−9,9'−ビスアクリジニウム塩類の電荷移動錯体量に対して１〜１万倍モルの量で用いることができる。
【００２３】
本発明の製造方法で製造された化学発光試薬は、ｐＨ４．５〜１３、好ましくはｐＨ６〜９の条件下において、過剰の過酸化水素の存在下、ペルオキシダーゼの濃度に依存した量で発光する。この発光はフェノール性化合物等の発光促進剤によって増強することが認められる。このようなフェノール性化合物としては、ｐ−ヒドロキシ桂皮酸、ｐ−フェニルフェノール、ｐ−（４−クロロフェニル）フェノール、ｐ−（４−ブロモフェニル）フェノール、ｐ−（４−ヨードフェニル）フェノール、ｐ−ヨードフェノール、ｐ−ブロモフェノール、ｐ−クロロフェノール、２，４−ジクロロフェノール、ｐ−クマル酸、６−ヒドロキシベンゾチアゾール、２−ナフトール、ホタルルシフェリン等が非限定的に挙げられる。
【００２４】
本発明の製造方法で製造された化学発光試薬を用いて化学発光分析を行なう場合には、１０-8〜１Ｍ、好ましくは１０-6〜１０-2Ｍの範囲の濃度で用いられ、その使用量は１０〜５００μｌ、好ましくは５０〜３００μｌの範囲で用いるのが望ましい。また、発光促進剤の使用量は、化学発光試薬の０．０１〜１００倍モル、好ましくは０．１〜１０倍モルの範囲で用い、その濃度は１０-6〜１Ｍ、好ましくは１０-4〜１０-2Ｍの範囲で用いるのが望ましい。また、化学発光反応に用いる過酸化水素の量は化学発光試薬に対して充分に過剰な量で用いることが必要であり、その使用量は化学発光試薬に対して３〜１万倍モル、好ましくは１０〜１０００倍モルの範囲で用いるのが望ましい。また、ペルオキシダーゼを標識物質として抗体、核酸等を標識して種々の物質を定量する場合には、特に限定されるものではないが、ペルオキシダーゼとして、西洋ワサビペルオキシダーゼ（ＨＲＰ）が好ましく用いられる。
【００２５】
化学発光反応に用いる緩衝液としては、トリス緩衝液、リン酸緩衝液、ほう酸緩衝液、炭酸緩衝液、グリシン−水酸化ナトリウム緩衝液等を任意に用いることができる。これらの緩衝液の濃度は１ｍＭ〜１Ｍの範囲で用いるのが望ましい。また、反応時に界面活性剤、キレート剤等の添加剤を任意に用いることができる。
【００２６】
【実施例】
以下、実施例を示し、本発明を具体的に説明するが、本発明は下記実施例に限定されるものではない。
【００２７】
〔実施例１〕
N,N'−ジメチル−9,9'−ビスアクリジニウムジ硝酸塩の電荷移動錯体を含む化学発光試薬の調製
ルシゲニン1.5mg を試験管に採り、これに N,N−ジメチルアセトアミド１mlを加えて溶解させた後、30±１℃の温度に調節された水浴中でマグネチックスターラー等で撹拌しながら250Wのコピーランプを 7時間照射することによりN,N'−ジメチル−9,9'−ビスアクリジニウムジ硝酸塩の電荷移動錯体を含有する反応混合物溶液を得た。尚、電荷移動錯体の生成は、紫外吸収スペクトルにおける 550nm付近に極大をもつ幅広い吸収帯の出現を分光光度計を用いる方法で測定して確認した。
次いで、この溶液に 500μｌのトリエタノールアミンを添加することにより化学発光試薬を得た。
この化学発光試薬の安全性を確認するために労働安全衛生法に則った微生物を用いる変異原性試験を行なった処、結果は陰性であった。
【００２８】
〔参考例１〕
ペルオキシダーゼ活性の測定
化学発光測定用マイクロプレートの複数のウェルに西洋ワサビペルオキシダーゼ（ＨＲＰ）の種々の濃度水準の75mMトリス塩酸緩衝液（pH 8.4）溶液 100μｌ、及び10mMｐ−ヨードフェノール溶液 800μｌと上記化学発光試薬20μｌとを75mMトリス塩酸緩衝液（pH 8.4）溶液9.18mlに添加して調製した発光試薬溶液 100μｌを加えた後、これに0.0034重量％の過酸化水素水溶液50μｌを加え、ルミノメーター（ダイアヤトロン社製ルミナス CT-9000 D）で１〜５秒間発光量を積算した結果、表１に示すような発光強度が得られ、ＨＲＰを１×１０-19mol／assay まで測定することが可能であった。
【００２９】
【表１】
0003779849.tif 000010
【００３０】
〔実施例２〕N,N'−ジメチル−9,9'−ビスアクリジニウムジ沃化水素酸塩の電荷移動錯体を含む化学発光試薬の調製
ルシゲニンの１×１０-2モル／ｌの水溶液に、 2倍モルの固体の沃化カリウムを添加し、室温で１時間撹拌することにより赤色沈殿が生成した。この赤色沈殿を含む反応液をナス型フラスコに入れ、ロータリーエバポレーターを用いて減圧下に60℃で溶媒の水を蒸発して乾固させ、赤色沈殿からなる残渣をベンゼンで洗浄して副生物を除去し、ベンゼン不溶分を濾別し乾燥して粗生成物を得た。次に、この粗生成物に少量の水を加え、遮光下に95℃の湯浴上で加熱して溶解した後、室温に戻してから、更に、 4℃に冷却放置し、生成する沈殿を濾別、乾燥して未反応物を除去してN,N'−ジメチル−9,9'−ビスアクリジニウムジ沃素酸塩を約70％の収率で得た。
次に、この化合物1.5mg を試験管に採り、これに N,N−ジメチルホルムアミド１mlを加えて溶解させた後、30±１℃の温度に調節された水浴中でマグネチックスターラー等で撹拌しながら250Wのコピーランプを 7時間照射することによりN,N'−ジメチル−9,9'−ビスアクリジニウムジ沃化水素酸塩の電荷移動錯体を含有する反応混合物溶液を得た。尚、電荷移動錯体の生成は、紫外吸収スペクトルにおける 550nm付近に極大をもつ幅広い吸収帯の出現を分光光度計を用いる方法で測定して確認した。
次いで、この溶液に 500μｌのトリエタノールアミンを添加することにより化学発光試薬を得た。
この化学発光試薬の安全性を確認するために労働安全衛生法に則った微生物を用いる変異原性試験を行なった処、結果は陰性であった。
【００３１】
〔参考例２〕
ペルオキシダーゼ活性の測定
化学発光測定用マイクロプレートの複数のウェルに西洋ワサビペルオキシダーゼ（ＨＲＰ）の種々の濃度水準の75mMトリス塩酸緩衝液（pH 8.4）溶液 100μｌ、及び10mMｐ−ヨードフェノール溶液 800μｌと上記化学発光試薬20μｌとを75mMトリス塩酸緩衝液（pH 8.4）溶液9.18mlに添加して調製した発光試薬溶液 100μｌを加えた後、これに0.0017重量％の過酸化水素水溶液50μｌを加え、ルミノメーター（ダイアヤトロン社製ルミナス CT-9000 D）で１〜５秒間発光量を積算した結果、表２に示すような発光強度が得られ、ＨＲＰを１×１０-19mol／assay まで測定することが可能であった。
【００３２】
【表２】
0003779849.tif 000011
【００３３】
〔比較例１〕
ルシゲニン1.5mg を試験管に採り、これに N,N−ジメチルアセトアミド１mlを加えて溶解させた後、サーモスタットで30℃の温度に設定した水浴中で250Wのコピーランプを 7時間照射することによりN,N'−ジメチル−9,9'−ビスアクリジニウムジ硝酸塩の電荷移動錯体を含有する反応混合物溶液を得た。
電荷移動錯体の生成は、紫外吸収スペクトルにおける 550nm付近に極大をもつ幅広い吸収帯の出現を分光光度計を用いる方法で測定して確認した。
次いで、この化学発光試薬について労働安全衛生法に則った微生物を用いる変異原性試験を行なった処、結果は陽性であった。尚、化学発光試薬の調製時には、水浴が2加熱装置のみで冷却装置を使用していなかったので、ランプの輻射熱と水浴の加熱装置のサーモスタットによるＯＮ／ＯＦＦのタイムラグ等により、その温度制御が十分行なわれず水浴の温度を断続的に測定したところでは35℃を超えていた。
【００３４】
【発明の効果】
本発明の製造方法により提供される化学発光試薬は、変異原性を有する不純物を含有することがなく高い安全性を有している。また、安価な製造原料を用いて比較的に短時間で容易に製造でき、過酸化水素とペルオキシダーゼの存在下に、ペルオキシダーゼの濃度に依存して化学発光する性質を利用して、ペルオキシダーゼ酵素を高感度で検出することができる。更に、ペルオキシダーゼを標識物質として抗原、抗体、核酸等を標識した酵素標識物を用いて、酵素免疫測定法により抗原、抗体等を、ウェスタンブロット法により蛋白質を、サザーン及びノーザンブロット法によりＤＮＡ及びＲＮＡを、そして酵素標識核酸プローブを用いて核酸を夫々特異的に且つ高感度で測定することができる。